【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
工作機毎の本日の加工スケジュール並びに各種情報を親機が記憶し、通信ネットワークを介して前記工作機のＮＣ装置が受信し、工程の流れに沿ったアイコンを画面に表示するための、工程の流れに沿った情報設定画面の表示方法であって、
前記ＮＣ装置が、
システムの起動に伴って、少なくとも１つの加工スケジュールを記憶手段に２７）に読み込む行程と、
すべてのアイコンパラメータと情報設定プログラムを対応させてファイル（３６）に記憶するために、各アイコンパラメータ（ａｉ）を前記アイコンパラメータに関連する少なくとも１つの情報設定画面プログラム（ｐｉ）と組み合わせる行程と、
工作機械の各作業工程の情報設定のため、前記アイコンパラメータに対応した複数のアイコン（Ａｉ）を、前記工作機械の作業工程の順に前記画面に表示する行程と、
表示された前記複数のアイコンの１つが選択された際、前記複数のアイコンを表示している一方で、前記選択されたアイコンと組み合わされた少なくとも１つの前記情報設定プログラムのために、少なくとも１個の画面（Ｈｂ１−Ｈｂ４）を表示する行程と
を行なうことを特徴とする工程の流れに沿った情報設定画面の表示方法。
【請求項２】
前記組み合わせる行程は、
読み込まれた前記加工スケジュールによって加工すべき製品が新規品リピート品かを判定する行程と、
前記製品が新規品の場合、ファイル（３４）に記憶されたアイコンパラメータ（ａｉ）と対応する製品が組合せ条件（ｂｉ）を読み込む行程と、
すべての前記アイコンパラメータと前記情報設定プログラムを対応させて前記ファイルに記憶するために、前記アイコンパラメータに対応した組合せ条件に基づいた前記アイコンパラメータに関連した少なくとも１つの情報設定画面プログラム（ｐｉ）と各アイコンパラメータを組み合わせる行程と、
前記製品がリピート品の場合、以前に加工された製品に対する情報設定画面プログラムが記憶されたファイル（３５）から、前記製品に対応する少なくとも１つの情報設定画面プログラムを取り出す行程と
を行なうことを特徴とする請求項１に記載の工程の流れに沿った情報設定画面の表示方法。
【請求項３】
前記システムの起動時に、前記複数のアイコンの先頭にスケジュールアイコンが自動的に選択表示する工程と、
前記加工スケジュールと前記加工スケジュールに対応したＣＡＤデータが３次元図面形式で表示させる工程と
を行なうことを特徴とする請求項１に記載の工程の流れに沿った情報設定画面の表示方法。
【請求項４】
前記複数のアイコンは、曲げ順指定アイコンを含み、
該曲げ順指定アイコンが選択された場合、曲げ順を指定するための画面（Ｂ１）を表示させる工程を行なうことを特徴とする請求項１に記載の工程の流れに沿った情報設定画面の表示方法。
【請求項５】
前記画面（Ｂ１）の展開図画面の曲げるべき線を指定したとき、該指定の線の表示色を所定の色に変化させる工程を行なうことを特徴とする請求項４に記載の工程の流れに沿った情報設定画面の表示方法。
【請求項６】
前記線の近傍に曲げ順の番号を表示する工程とを行なうことを特徴とする請求項５に記載の工程の流れに沿った情報設定画面の表示方法。
【請求項７】
前記複数のアイコンは、ダイ指定アイコンを含み、
該ダイ指定アイコンが選択された場合、各曲げ行程のためのダイを決定するための画面（Ｂ１６）を表示する工程を行なうことを特徴とする請求項１に記載の工程の流れに沿った情報設定画面の表示方法。
【請求項８】
各曲げ行程のための前記ダイが決定されると、前記ダイの配置を決定するための画面（Ｂ２０）を表示する工程を行なうことを特徴とする請求項７に記載の工程の流れに沿った情報設定画面の表示方法。
【請求項９】
前記ダイの配置を決定するため、各曲げ行程のために選択された前記ダイを前記画面に表示する際に、前記工作機械の中心を示す垂線を前記画面上で水平に移動させた場合、パンチを含むすべての前記ダイが前記垂線の移動に合わせて移動させる工程を行なうことを特徴とする請求項８に記載の工程の流れに沿った情報設定画面の表示方法。
【請求項１０】
前記ダイの配置を決定するため、各曲げ行程のために選択された前記ダイが前記画面に表示される際に、ダイ及び対応するパンチを目的のダイ及びパンチとして選定する工程と、
前記選定されたダイ及びパンチ上に垂線を表示し、前記垂線を前記画面上で水平に移動させた場合、前記選定されたダイ及びパンチが前記垂線の移動に合わせて移動する工程と
を行なうことを特徴とする請求項８に記載の工程の流れに沿った情報設定画面の表示方法。
【請求項１１】
前記選択されたアイコンを明るく表示する工程を行なうことを特徴とする請求項１に記載の工程の流れに沿った情報設定画面の表示方法。
【請求項１２】
複数の画面を同時に表示部（１８）に開き、前記表示部にタッチパネル（１９）を重ねたマルチウィンドウ方式のＮＣ装置（１０）であって、
少なくとも１つの加工スケジュールを記憶するためのメモリ（２７）と、
すべてのアイコンパラメータと情報設定プログラムを対応させてファイル（３６）に記憶するために、各アイコンパラメータ（ａｉ）を前記アイコンパラメータに関連する少なくとも１つの情報設定画面プログラム（ｐｉ）と組み合わせるアイコン対応プログラム組合せ部（３２）と、
工作機械の各作業工程の情報設定のため、前記アイコンパラメータに対応した複数のアイコン（Ａｉ）を、前記工作機械の作業工程の順に表示する工程流れアイコン表示指令部（２９）と、
表示された前記複数のアイコンの１つが選択された際、前記複数のアイコンを表示している一方、前記選択されたアイコンと組み合わされた少なくとも１つの前記情報設定プログラム表示するアイコン対応プログラム画面指令部（３３）
とを含むマルチウィンドウ方式ＮＣ装置。
【請求項１３】
前記アイコン対応プログラム組合せ部は、
読み込まれた前記加工スケジュールによって加工すべき製品が新規品かリピート品かを判定する新規リピート品判定手段と、
前記製品が新規品の場合、ファイル（３４）に記憶されたアイコンパラメータ（ａｉ）と対応する組合せ条件（ｂｉ）を読み込み、すべての前記アイコンパラメータと前記情報設定プログラムを対応させて前記ファイルに記憶するために、前記アイコンパラメータに対応した組合せ条件に基づいた前記アイコンパラメータに関連した少なくとも１つの情報設定画面プログラム（ｐｉ）と各アイコンパラメータを組み合わせる組合せ手段と、
前記製品がリピート品の場合、以前に加工された製品に対する情報設定画面プログラムが記憶されたファイル（３５）から、前記製品に対応する少なくとも１つの情報設定画面プログラムを取り出す検索手段
とを含む請求項１２に記載のマルチウィンドウ方式ＮＣ装置。
【請求項１４】
前記アイコン対応プログラム画面指令部は、前記システムの起動時に、前記複数のアイコンの先頭のスケジュールアイコンに対応して、加工スケジュールと前記加工スケジュールに対応したＣＡＤデータを３次元図面形式で表示する請求項１２に記載のマルチウィンドウ方式ＮＣ装置。
【手続補正２】
【補正対象書類名】明細書
【補正対象項目名】００１９
【補正方法】変更
【補正の内容】
【００１９】
本発明の工程の流れに沿った情報設定画面の表示方法は、工作機毎の本日の加工スケジュール並びに各種情報を親機が記憶し、通信ネットワークを介して前記工作機のＮＣ装置が受信し、工程の流れに沿ったアイコンを画面に表示するための、工程の流れに沿った情報設定画面の表示方法である。
【手続補正３】
【補正対象書類名】明細書
【補正対象項目名】００２０
【補正方法】変更
【補正の内容】
【００２０】
前記ＮＣ装置が、
システムの起動に伴って、少なくとも１つの加工スケジュールを記憶手段に２７）に読み込む行程と、
すべてのアイコンパラメータと情報設定プログラムを対応させてファイル（３６）に記憶するために、各アイコンパラメータ（ａｉ）を前記アイコンパラメータに関連する少なくとも１つの情報設定画面プログラム（ｐｉ）と組み合わせる行程と、
工作機械の各作業工程の情報設定のため、前記アイコンパラメータに対応した複数のアイコン（Ａｉ）を、前記工作機械の作業工程の順に前記画面に表示する行程と、
表示された前記複数のアイコンの１つが選択された際、前記複数のアイコンを表示している一方で、前記選択されたアイコンと組み合わされた少なくとも１つの前記情報設定プログラムのために、少なくとも１個の画面（Ｈｂ１−Ｈｂ４）を表示する行程と
を行なうことを要旨とする。
【手続補正４】
【補正対象書類名】明細書
【補正対象項目名】００２１
【補正方法】変更
【補正の内容】
【００２１】
本発明は、複数の画面を同時に表示部（１８）に開き、前記表示部にタッチパネル（１９）を重ねたマルチウィンドウ方式のＮＣ装置（１０）である。
【手続補正５】
【補正対象書類名】明細書
【補正対象項目名】００２２
【補正方法】変更
【補正の内容】
【００２２】
少なくとも１つの加工スケジュールを記憶するためのメモリ（２７）と、
すべてのアイコンパラメータと情報設定プログラムを対応させてファイル（３６）に記憶するために、各アイコンパラメータ（ａｉ）を前記アイコンパラメータに関連する少なくとも１つの情報設定画面プログラム（ｐｉ）と組み合わせるアイコン対応プログラム組合せ部（３２）と、
工作機械の各作業工程の情報設定のため、前記アイコンパラメータに対応した複数のアイコン（Ａｉ）を、前記工作機械の作業工程の順に表示する工程流れアイコン表示指令部（２９）と、
表示された前記複数のアイコンの１つが選択された際、前記複数のアイコンを表示している一方、前記選択されたアイコンと組み合わされた少なくとも１つの前記情報設定プログラム表示するアイコン対応プログラム画面指令部（３３）とを含むことを要旨とする。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】